(57)【特許請求の範囲】
【請求項１】
ボトル容器と、このボトル容器の取出し口部に取り付け可能なキャップ部に、前記ボトル容器に収容されるパンク修理液をタイヤ内に注入するためのホース部を連結させた注入ホースとを含むパンク修理キットであって、
前記ボトル容器は、パンク修理液を密封状に収容したボトル本体と、このボトル本体の外表面に貼り付けられたラベルとを具えるとともに、
前記ボトル本体は、柔軟性を有する樹脂からなる１層構造をなし、
前記ラベルは、酸素非透過性層を有する多層構造をなすことを特徴とするパンク修理キット。
【請求項２】
前記ラベルは、前記酸素非透過性層が、厚さ３０〜１００μm のエチレン-ビニルアルコール共重合体（ＥＶＯＨ）の層からなり、かつ前記ボトル本体の外表面の総面積の７０％以上を被覆することを特徴とする請求項１記載のパンク修理キット。
【請求項３】
前記ラベルは、前記酸素非透過性層の内側に粘着剤層、及び外側に紙、合成紙、又はフィルムからなるラベル基材を具えることを特徴とする請求項１又は２記載のパンク修理キット。
【発明の詳細な説明】
【技術分野】
【０００１】
本発明は、ボトル容器内のパンク修理液を、手の圧搾操作によってタイヤ内に注入するパンク修理システムにおいて、保管時のパンク修理液の酸化劣化を防止しうるパンク修理キットに関する。
【背景技術】
【０００２】
パンク修理システムとして、変形容易な合成樹脂製のボトル容器を用い、このボトル容器を手で圧搾（押圧）することにより内部のパンク修理液をタイヤに注入し、しかる後、タイヤに別途コンプレッサーを接続してポンプアップするシステムが案出されている（例えば下記の特許文献１参照。）。
【０００３】
上記特許文献１では、保管中のパンク修理液の酸化劣化を防止するため、ボトル容器の少なくとも胴部を、ガスバリア性樹脂からなる中間層を有する３層構造とすることが提案されている。このような構造のボトル容器は、例えば射出成形によって形成した３層構造のパリソンを、２軸延伸ブロー成形することにより製造することができる。
【０００４】
しかしながら、前述のパンク修理システムでは、手の圧搾操作によってパンク修理液を注入するため、ボトル容器には特に優れた柔軟性が要求される。しかしボトル容器自体を３層構造とした場合、必要なガスバリア性能を確保しうるものの、十分な柔軟性を得ることが難しく、圧搾操作性に劣る傾向がある。また繰り返しの圧搾変形によって層間に剥離が生じるなど、破損等のトラブルの原因となりうる。
【０００５】
そこで本発明者は、柔軟性と強度とに特化してボトル容器を形成するとともに、このボトル容器を含むパンク修理キットの収納袋に、多層構造を採用することを提案した。しかしこの場合、パンク修理キットと一緒に収納袋内に密封される空気を原因としたパンク修理液の酸化劣化の問題が新たに発生する。
【先行技術文献】
【特許文献】
【０００６】
【特許文献１】特開２００３−２６２１７２号公報
【発明の概要】
【発明が解決しようとする課題】
【０００７】
そこで本発明は、ボトル容器に柔軟性と強度とを付与させて圧搾操作性を高めながら、パンク修理液の酸化劣化を防止しうるパンク修理キットを提供することを課題としている。
【課題を解決するための手段】
【０００８】
本発明は、ボトル容器と、このボトル容器の取出し口部に取り付け可能なキャップ部に、前記ボトル容器に収容されるパンク修理液をタイヤ内に注入するためのホース部を連結させた注入ホースとを含むパンク修理キットであって、
前記ボトル容器は、パンク修理液を密封状に収容したボトル本体と、このボトル本体の外表面に貼り付けられたラベルとを具えるとともに、
前記ボトル本体は、柔軟性を有する樹脂からなる１層構造をなし、
前記ラベルは、酸素非透過性層を有する多層構造をなすことを特徴としている。  
【０００９】
本発明に係る前記パンク修理キットでは、前記ラベルは、前記酸素非透過性層が、厚さ３０〜１００μm のエチレン-ビニルアルコール共重合体（ＥＶＯＨ）の層からなり、かつ前記ボトル本体の外表面の総面積の７０％以上を被覆することが好ましい。
【００１０】
本発明に係る前記パンク修理キットでは、前記ラベルは、前記酸素非透過性層の内側に粘着剤層、及び外側に紙、合成紙、又はフィルムからなるラベル基材を具えることが好ましい。
【発明の効果】
【００１１】
本発明は叙上の如く、ボトル本体の外表面に貼り付けられたラベルを、酸素非透過性層を有する多層構造としている。そのため、ボトル容器を透過する酸素量を低減でき、パンク修理液の酸化劣化を効果的に防止することができる。
【００１２】
またボトル本体を、柔軟性等に特化させて形成しうるため、圧搾操作性を高く確保することができる。なお、ラベルに酸素非透過性を付与したため、圧搾作業中に、このラベル自体に剥離や破け等の損傷を招く恐れはある。しかしラベルが損傷しても、特に圧搾作業には影響なく、問題は生じない。
【図面の簡単な説明】
【００１３】
【図１】本発明のパンク修理キットを示す正面図である。
【図２】（Ａ）〜（Ｃ）はパンク修理キットの各構成物を示す正面図である。
【図３】ラベルの拡大断面図である。
【発明を実施するための形態】
【００１４】
以下、本発明の実施の形態について、詳細に説明する。
図１に示すように、本実施形態のパンク修理キット１は、ボトル容器２と、注入ホース３とを含んで構成される。このパンク修理キット１は、手の圧搾操作によってボトル容器２内のパンク修理液を、タイヤ内に注入する手動のパンク修理システムに使用される。本例のパンク修理キット１は、袋４内にパッケージングされた状態で販売される。
【００１５】
図２（Ａ）に示すように、前記ボトル容器２は、パンク修理液Ｌを密封状に収容したボトル本体５と、このボトル本体５の外表面に貼り付けられたラベル６とを具える。
【００１６】
前記ボトル本体５は、筒状の胴部５Ａと、この胴部５Ａの一端側を閉じる底部５Ｂと、胴部５Ａの他端側に先細状のショルダ部５Ｃを介して連なる小径な筒状の取出し口部５Ｄとを一体に具える。本例では、便宜上、前記一端側を下端側、他端側を上端側として説明する場合がある。
【００１７】
前記取出し口部５Ｄには、本例では、注入ホース３を脱着可能に取り付ける雄ネジ部５Ｄ１が形成される。また取出し口部５Ｄの上端には、パンク修理液Ｌを密封するボトル詮８が配される。本例のボトル詮８は、シール膜からなり、前記取出し口部５Ｄの上端に、ホットメルト接着剤などを介して熱溶着される。
【００１８】
前記ボトル本体５には、酸素非透過性（ガスバリア性能）が要求されないため、柔軟性と強度とに特化することで、圧搾操作性を高めることができる。そのために、ボトル本体５として例えば軟質塩化ビニル樹脂、軟質ポリエステル樹脂、低密度ポリエチレン樹脂、軟質ポリプロピレン樹脂等の柔軟性を有する樹脂からなる１層構造を採用するのが好ましい。
【００１９】
またラベル６は、本例では前記胴部５Ａの外周面に貼り付けられる。このラベル６は、図３にその断面を拡大して示すように、酸素非透過性層２５を有する多層構造を具える。本例では、ラベル６が、酸素非透過性層２５と、その内側に配される粘着剤層２６と、外側に配されるラベル基材２７とからなる３層構造をなす場合が示される。
【００２０】
前記酸素非透過性層２５は、ＪＩＳ Ｋ７１２６の「プラスチック−フィルム及びシート−ガス透過度試験方法」に準拠して測定した酸素透過度が３cc／m２・day・atm以下の層として定義される。
【００２１】
この酸素非透過性層２５として、エチレン-ビニルアルコール共重合体（ＥＶＯＨ）の層が好適に採用される。ＥＶＯＨの場合、その厚さが３０〜１００μｍの範囲が好ましく、３０μｍを下回ると、優れた酸素非透過性を発揮することが難しくなる。逆に１００μｍを越えると、剛性が高くなりすぎて、ボトル本体５への貼り付けが難しくなる。なおＥＶＯＨの場合、例えばラミネート法により、ＥＶＯＨによるフィルムと、外層をなすラベル基材２７とを貼り合わせることで形成できる。なお酸素非透過性層２５としては、他に、例えばアルミ層等を採用することもできる。
【００２２】
前記ラベル基材２７としては、例えば天然繊維のパルプを用いた紙、合成繊維のパルプを用いた合成紙、及び合成樹脂を押出し成型した樹脂フィルムが好適に採用しうる。前記紙として、クラフト紙、上質紙、塗工紙などを挙げることができ、特には、印刷性や紫外線の透過防止などの観点から、塗工紙のうち光沢性の高いキャストコート紙が好適である。また合成紙は、軽くて破れ難く、しかも印刷性や耐水性にも優れるという観点からより好適であり、例えばポリプロピレン系合成紙（例えばユポ紙；登録商標）などが挙げられる。また樹脂フィルムも、耐水性や耐久性の観点から好適であり、例えばポリエチレンテレフタレート、ポリエチレン、ポリスチレン、ポリプロピレンなどが挙げられる。
【００２３】
また粘着剤層２６として、アクリル系粘着剤、ゴム系粘着剤、シリコーン系粘着剤などが挙げられるが、特には、接着性、透明性、耐候性、耐熱性などの観点からアクリル系粘着剤が好適に採用しうる。
【００２４】
このようなラベル６は、ボトル本体５における外表面の総面積の７０％以上、さらには８０％以上を被覆することが好ましい。７０％を下回ると、非被覆部分からの酸素の透過量が増えるため、パンク修理液Ｌの酸化劣化を防ぐことが難しくなる。なお前記「外表面」とは、胴部５Ａと底部５Ｂとショルダ部５Ｃと取出し口部５Ｄとの外表面を意味し、取出し口部５Ｄ上端の開口部分は含まれない。
【００２５】
なお酸化劣化の防止のためには、前記ボトル詮８のシール膜も、酸素非透過性層２５を有する多層構造で形成するのがさらに好ましい。
【００２６】
次に、前記注入ホース３は、図２（Ｂ）に示すように、前記取出し口部５Ｄに取り付け可能なキャップ部１０と、このキャップ部１０に連結されかつボトル容器２内のパンク修理液Ｌをタイヤ内に注入するためのホース部１１とを一体に具える。
【００２７】
本例のキャップ部１０は、前記取出し口部５Ｄに螺合する雌ネジ部１２Ａを内周面に有するキャップ本体１２を有し、このキャップ本体１２の蓋部１２Ｂ上面には、前記ホース部１１を連結する連結管部１３Ｕが突出している。又蓋部１２Ｂ下面には、前記取出し口部５Ｄへの螺着によって前記ボトル詮８を破通させる先鋭管部１３Ｌが突出している。前記連結管部１３Ｕの内孔と先鋭管部１３Ｌの内孔とは互いに導通している。前記ホース部１１は、その一端が前記連結管部１３Ｕに接続されている。
【００２８】
また本例パンク修理キット１は、図１、２（Ｃ）に示すように、前記注入ホース３の先端に取り付け可能なホース詮９をさらに含んで構成される。このホース詮９は、例えば大径な摘み部分９Ａと、その先端から突出し前記ホース部１１の他端に嵌着可能な詮軸部分９Ｂとを有する。このホース詮９は、ボトル容器２内のパンク修理液Ｌをタイヤ内に注入した後、ホース部１１に嵌着される。これにより、注入後、ホース部１１内やボトル容器２内に残存するパンク修理液Ｌが、ホース部１１から漏れて周囲を汚損させるのを防止できる。
【００２９】
本例のホース詮９は、自動車用タイヤのエアバルブからバルブコアを脱着するためのコア回し治具１５を兼用している。具体的には、前記詮軸部９Ｂの先端に、バルブコアに係合してバルブコアを回しうるコ字状のノッチ９Ｂ１を具える。このコア回し治具１５（ホース詮９）は、パンク修理液Ｌの注入前にバルブコアをエアバルブから取り外す際、及び注入後にバルブコアをエアバルブに取り付ける際に、それぞれ使用される。
【００３０】
また前記パンク修理キット１をパッケージングする袋４は、特に規制されることがなく、ポリエチレン、ナイロン、ポリエチレンテレフタレート等の種々の樹脂シートが好適に採用できる。
【００３１】
ここで、ボトル容器２に酸素非透過性を付与しないで、袋４に酸素非透過性を付与した場合、パンク修理液Ｌの酸化劣化を十分に防ぐことができなくなる。その理由は、パンク修理キット１をパッケージングする際、袋４内に空気が一緒に密封されるためであり、この空気に含まれる酸素がボトル容器を透過してパンク修理液を酸化劣化させる。従って、もし酸素非透過性を付与した袋４を用いる場合には、パッケージング時、袋４内の空気を排気させる、或いは脱酸素剤を一緒にパッケージングする必要があり、コストの上昇、及びパッケージング作業効率の低下を招く。
【００３２】
これに対して、本発明では、ラベル６に酸素非透過性層２５を形成することでボトル容器２に酸素非透過性を付与しているため、通常の酸素非透過性の無い袋４を使用することができ、コストの上昇やパッケージング作業効率の低下等を抑えながら、パンク修理液Ｌの酸化劣化を十分に防ぐことができる。
【００３３】
以上、本発明の特に好ましい実施形態について詳述したが、本発明は図示の実施形態に限定されることなく、種々の態様に変形して実施しうる。
【実施例】
【００３４】
本発明の効果を確認するため、図２（Ａ）に示すボトル容器を表１の仕様に基づいて試作するとともに、各試作品における酸化劣化防止性能をテストした。表１に記載以外は実質的に同仕様である。
【００３５】
（１）酸化劣化防止性能：
パンク修理液Ｌを密封したボトル容器を、８０℃の環境下で４ヶ月間保管して酸化劣化を促進させた。しかる後、ボトル容器を用いて、穴を空けたタイヤにパンク修理を行った。パンク修理では、パンク修理液を注入したタイヤに空気を充填し、しかる後、速度４０ｋｍ/ｈにて走行し、パンク穴が完全に塞がるまでの走行距離にて、パンク修理性能を下記の３段階で評価した。
×：走行距離が１０ｋｍを超えてもパンク穴が塞がっていない。   
△：走行距離が９〜１０ｋｍの範囲でパンク穴が塞がっている。   
○：走行距離が５〜９ｋｍ未満でパンク穴が塞がっている。
◎：走行距離が５ｋｍ未満でパンク穴が塞がっている。    
【表１】
0006540255.tif 000002
【００３６】
表に示すように、実施例品は、パンク修理液の酸化劣化を防止しながら保管しうるのが確認できる。
【符号の説明】
【００３７】
１     パンク修理キット
２     ボトル容器
３     注入ホース
４     袋
Ｌ     パンク修理液
５     ボトル本体
５Ｄ   取出し口部５
６     ラベル
２５   酸素非透過性層
２６   粘着剤層
２７   ラベル基材
【図１】
0006540255.tif 000003
【図２】
0006540255.tif 000004
【図３】
0006540255.tif 000005